(57)【要約】  本出願は、光学的な情報処理を受ける処理面を有する媒体を回転させる駆動機構と、前記駆動機構を収容する筐体と、前記媒体が前記筐体内に収容される収容位置と、前記媒体が前記筐体から露出する露出位置と、の間で前記媒体を変位させるトレー機構と、前記収容位置に配置された前記媒体の前記処理面に集光し、前記情報処理を行う少なくとも１つの対物レンズと、第１位置と、前記第１位置よりも前記駆動機構によって回転される前記媒体の回転中心から離れた第２位置と、の間で、前記少なくとも１つの対物レンズを前記処理面に沿って、変位させる第１変位機構と、を備える光ディスク装置を開示する。前記トレー機構は、前記第１位置よりも前記第２位置に近い位置において少なくとも１つの開口部を規定する。
2014073129.tif 000002
【特許請求の範囲】
【請求項１】
光学的な情報処理を受ける処理面を有する媒体を回転させる駆動機構と、
前記駆動機構を収容する筐体と、
前記媒体が前記筐体内に収容される収容位置と、前記媒体が前記筐体から露出する露出位置と、の間で前記媒体を変位させるトレー機構と、
前記収容位置に配置された前記媒体の前記処理面に集光し、前記情報処理を行う少なくとも１つの対物レンズと、
第１位置と、前記第１位置よりも前記駆動機構によって回転される前記媒体の回転中心から離れた第２位置と、の間で、前記少なくとも１つの対物レンズを前記処理面に沿って、変位させる第１変位機構と、を備え、
前記トレー機構は、前記第１位置よりも前記第２位置に近い位置において少なくとも１つの開口部を規定することを特徴とする光ディスク装置。
【請求項２】
前記駆動機構は、前記媒体を回転させ、空気流を前記筐体内で生じさせ、
前記第１変位機構は、前記少なくとも１つの対物レンズを、前記少なくとも１つの開口部から吹き出された前記空気流に曝すことを特徴とする請求項１に記載の光ディスク装置。
【請求項３】
前記トレー機構は、前記媒体が回転する回転空間を規定するトレー皿と、前記少なくとも１つの開口部が形成された開口片と、を含み、
前記トレー皿には、前記収容位置と前記露出位置との間での前記媒体の変位を許容する開口領域が形成され、
前記少なくとも１つの開口部が前記開口領域に重なるように、前記開口片は配置されることを特徴とする請求項２に記載の光ディスク装置。
【請求項４】
前記情報処理を実行するための情報処理制御と、前記少なくとも１つの対物レンズを清浄するための清浄制御と、を選択的に実行する制御部を更に備え、
前記トレー機構は、前記媒体と前記トレー皿との間で前記開口片を変位させる第２変位機構を含み、
前記制御部が前記情報処理制御を実行している間、前記第１変位機構は、前記制御部の制御下で、前記開口領域内において、前記第１位置と前記第２位置との間で前記少なくとも１つの対物レンズを変位させ、前記情報処理を実行し、
前記制御部が前記清浄制御を実行している間、前記第２変位機構は、前記制御部の制御下で、前記開口片を、前記少なくとも１つの対物レンズと前記媒体との間に配置することを特徴とする請求項３に記載の光ディスク装置。
【請求項５】
前記開口片は、前記少なくとも１つの対物レンズと前記媒体との間に配置されるシート部材であり、
前記シート部材は、前記開口領域を部分的に覆うことを特徴とする請求項３に記載の光ディスク装置。
【請求項６】
前記少なくとも１つの対物レンズに入射する入射光の量を検出する検出部と、
トラッキング方向とフォーカス方向とに前記少なくとも１つの対物レンズの位置を調整する調整部と、を更に備え、
前記調整部は、前記制御部の制御下で、前記入射光の前記量に応じて、前記少なくとも１つの対物レンズの前記位置を調整することを特徴とする請求項４に記載の光ディスク装置。
【請求項７】
前記少なくとも１つの対物レンズを振動させる振動部を更に備え、
前記制御部が前記清浄制御を実行している間、前記振動部は、前記制御部の制御下で、前記少なくとも１つの対物レンズを振動させることを特徴とする請求項４に記載の光ディスク装置。
【請求項８】
前記少なくとも１つの開口部は、前記第１位置と前記第２位置との間で移動する前記少なくとも１つの対物レンズの移動軌跡に対して、前記媒体の回転方向において、上流に位置する上流開口部を含むことを特徴とする請求項４記載の光ディスク装置。
【請求項９】
前記制御部が前記清浄制御を実行している間、前記第１変位機構は、前記制御部の制御下で、前記上流開口部から吹き出された前記空気流に前記少なくとも１つの対物レンズが曝されるように、前記少なくとも１つの対物レンズの位置を定め、
前記制御部が前記清浄制御を実行している間、前記上流開口部と前記回転中心との間の距離は、前記回転中心と前記少なくとも１つの対物レンズとの間の距離よりも短いことを特徴とする請求項８に記載の光ディスク装置。
【請求項１０】
前記少なくとも１つの対物レンズは、第１対物レンズと、第２対物レンズと、を含み、
前記少なくとも１つの開口部は、第１開口部と、第２開口部と、を含み、
前記第１対物レンズは、前記第１開口部から吹き出された前記空気流に曝され、
前記第２対物レンズは、前記第２開口部から吹き出された前記空気流に曝されることを特徴とする請求項２に記載の光ディスク装置。
【請求項１１】
前記制御部が前記情報処理制御を実行している間、前記第２変位機構は、前記制御部の制御下で、前記開口片を前記少なくとも１つの対物レンズと前記媒体との間の空間から除去することを特徴とする請求項４に記載の光ディスク装置。
【請求項１２】
前記媒体は、前記媒体の外形輪郭を定める外縁を含み、
前記制御部が、前記清浄制御を実行している間、前記第１変位機構は、前記制御部の制御下で、前記少なくとも１つの対物レンズを、前記回転中心周りに前記外縁と前記回転中心との間の距離の２分の１の長さの半径を有する円形領域の外に配置することを特徴とする請求項４に記載の光ディスク装置。
【請求項１３】
前記制御部が、前記清浄制御を実行している間、前記第１変位機構は、前記制御部の制御下で、前記少なくとも１つの対物レンズを前記処理面に対向させることを特徴とする請求項１２に記載の光ディスク装置。
【請求項１４】
前記少なくとも１つの開口部は、前記第１位置と前記第２位置との間で移動する前記少なくとも１つの対物レンズの移動軌跡に沿って延びるスロットであることを特徴とする請求項５に記載の光ディスク装置。
【請求項１５】
前記光学的な情報処理は、前記媒体への情報の記録及び前記媒体からの情報の再生のうち少なくとも一方であることを特徴とする請求項１乃至１４のいずれか１項に記載の光ディスク装置。
【請求項１６】
光学的な情報処理を受ける媒体を筐体内に収容する収容位置と、前記媒体を前記筐体から露出させる露出位置との間で変位させるトレー皿に据え付けられるシート部材であって、
前記シート部材は、前記収容位置と前記露出位置との間での前記トレー皿の変位を許容するように前記トレー皿に形成された開口領域を部分的に覆い、
前記シート部材には、前記媒体の回転によって前記筐体内で生じた空気流が吹き出される開口部が形成されることを特徴とするシート部材。
【請求項１７】
開口部が形成された開口片を、光学的な情報処理を受ける処理面を有する媒体と、前記処理面に対向する少なくとも１つの対物レンズと、の間に配置し、前記媒体が載置されるトレー皿の変位を許容するように前記トレー皿に形成された開口領域を部分的に覆う工程と、
前記媒体の回転によって空気流を生成し、前記少なくとも１つの対物レンズを、前記開口部から吹き出された前記空気流に曝す工程と、を有する対物レンズの清浄方法。
【発明の詳細な説明】
【技術分野】
【０００１】
本発明は、情報を光学的に処理するために用いられる対物レンズの清浄技術に関する。
【背景技術】
【０００２】
民生用の光ディスク装置及びデータセンタといった業務施設で利用されるアーカイバ用途の光ディスク装置に対して、情報の記録処理や再生処理に関する高い性能安定性が求められている。【０００３】
デジタルビデオディスク（ＤＶＤ）やブルーレイディスク（ＢＤ）は、光ディスク装置が利用する媒体の中でも、大きな記憶容量を有している。したがって、ＤＶＤやＢＤを用いて光学的な情報処理を行う光ディスク装置の用途は、将来的に、大幅に拡大することが予想されている。このため、高い信頼性を有する光ディスク装置が求められている。【０００４】
塵埃は、光ディスク装置の性能を不安定にする要素のうちの１つである。光ディスク装置に組み込まれる光学ヘッドの製造時及び光ディスク装置の製造時において、塵埃は、ある程度除去されうる。しかしながら、塵埃の完全な除去は、困難である。【０００５】
例え、製造工程において、塵埃が除去されても、光学ヘッド及び光ディスク装置が使用されている間に、塵埃は、光学ヘッド／光ディスク装置に組み込まれた対物レンズに付着することもある。【０００６】
ハードディスクドライブ装置は、駆動機構及びディスクが一体化された完全密閉構造を有する。したがって、塵埃は、ハードディスクドライブ装置の対物レンズには付着しにくい。一方、光ディスク装置に用いられる媒体（光ディスク）は、光ディスク装置から取り出される必要がある。したがって、光ディスクは、光ディスク装置内に密閉並びに固定されない。この結果、光ディスク装置は、ハードディスク装置よりも塵埃に影響を受けやすい。【０００７】
光ディスク装置に組み込まれた光学ヘッドは、光ディスクへの情報の記録及び／又は光ディスクからの情報の再生に利用される。光ディスク装置は、光学ヘッドに加えて、ターンテーブルと、スピンドルモータと、を備える。光ディスクは、ターンテーブルに装着される。スピンドルモータは、ターンテーブルを駆動し、光ディスクを回転させる。光ディスクの回転の間、光ディスク装置は、光学ヘッドを、光ディスクの半径方向に移動させ、光ディスクへの情報の記録及び／又は光ディスクからの情報の再生といった情報処理を行う。【０００８】
光ディスク装置は、光源と、受光素子と、を備える。光源は、レーザ光を出射する。光学ヘッドに組み込まれた対物レンズは、レーザ光を、光ディスクの記録面に集光する。記録面へのレーザ光の集光によって、光ディスクへ情報が書き込まれる。或いは、記録面へのレーザ光の集光によって、記録面によって反射された反射光が生成される。反射光は、対物レンズを通じて、受光素子に至る。受光素子は、反射光に応じた信号を出力する。光ディスク装置は、受光素子からの出力信号を用いて、光ディスクに記録された情報を再生することができる。【０００９】
対物レンズに付着した塵埃は、光の伝搬を邪魔するので、光ディスクへの情報の記録や光ディスクからの情報の再生といった情報処理は、塵埃に影響を受けやすい。対物レンズに付着した塵埃の存在下において、光ディスク装置が、反射光を用いて、光ディスクに記録された信号（情報）を読み取ろうとするならば、信号の読み取りエラーが頻繁に発生することになる。この場合、使用者は、光ディスク装置にクリーニングディスクを装着し、クリーニングディスクが備える刷毛を対物レンズに接触させる。この結果、対物レンズに付着した塵埃は、除去されることもある（特許文献１を参照）。【００１０】
クリーニングディスクの刷毛には、クリーニング液が塗布されてもよい（湿式）。代替的に、クリーニング液を刷毛に塗布することなく、刷毛が対物レンズに擦りつけられてもよい（乾式）。湿式及び乾式ともに、対物レンズへの刷毛の接触によって、空気中の排気ガスや煙由来の塵埃や汚れは、対物レンズから除去されることもある。【００１１】
特許文献１によれば、刷毛は、クリーニングディスクの内周縁の近傍に配置される。刷毛の配置位置は、メディアの識別のためにアクセスされる管理情報領域の位置に対応するので、刷毛は、対物レンズに接触することができる。【００１２】
図３０は、従来の光ディスク装置９００の概略的な断面図である。図３０を参照して、光ディスク装置９００が説明される。【００１３】
光ディスク装置９００は、対物レンズ９１０と、レンズホルダ９２０と、プロテクタ９３０と、スピンドルモータ９４０と、ターンテーブル９５０と、駆動ホルダ９６０と、を備える。光ディスクＯＤは、ターンテーブル９５０に取り付けられる。スピンドルモータ９４０は、ターンテーブル９５０及び光ディスクＯＤを回転させる。【００１４】
対物レンズ９１０及びプロテクタ９３０は、レンズホルダ９２０に取り付けられる。円筒状のプロテクタ９３０は、対物レンズ９１０を取り囲む。プロテクタ９３０の上縁は、光ディスクＯＤの下面に対向する対物レンズ９１０の上面よりも、光ディスクＯＤの下面に近接している。したがって、プロテクタ９３０は、対物レンズ９１０と光ディスクＯＤとの間の接触を防止することができる。【００１５】
駆動ホルダ９６０は、保持ワイヤ（図示せず）を用いて、レンズホルダ９２０を弾性的に懸架する。駆動ホルダ９６０は、レンズホルダ９２０及び対物レンズ９１０を、光ディスクＯＤの半径方向へ移動させる。【００１６】
図３１は、乾式の清浄処理を受ける光ディスク装置９００の概略的な断面図である。図３０及び図３１を参照して、光ディスク装置９００に対する清浄処理が説明される。【００１７】
図３１に示されるターンテーブル９５０には、光ディスクＯＤに代えて、クリーニングディスクＤＣＤが取り付けられている。クリーニングディスクＤＣＤには、清掃ブラシＤＣＢが植設されている。清掃ブラシＤＣＢは、対物レンズ９１０を軽く擦る。このとき、押圧力（図３１中の矢印）が、対物レンズ９１０に作用するので、対物レンズ９１０は下方に変位する。この結果、清掃ブラシＤＣＢは、対物レンズ９１０から塵埃や汚れを除去するのに十分な力を対物レンズ９１０に加えることができないこともある。【００１８】
図３２は、湿式の清浄処理を受ける光ディスク装置９００の概略的な断面図である。図３１及び図３２を参照して、光ディスク装置９００に対する清浄処理が説明される。【００１９】
図３２に示されるターンテーブル９５０には、乾式の清浄処理に用いられたクリーニングディスクＤＣＤに代えて、クリーニングディスクＷＣＤが取り付けられている。クリーニングディスクＷＣＤには、清掃ブラシＷＣＢが植設されている。乾式の清浄処理に用いられた清掃ブラシＤＣＢとは異なり、清掃ブラシＷＣＢには、クリーニング液が塗布されている。乾式の清浄処理に用いられた清掃ブラシＤＣＢと同様に、清掃ブラシＷＣＢは、対物レンズ９１０を軽く擦る。このとき、押圧力（図３２中の矢印）が、対物レンズ９１０に作用するので、対物レンズ９１０は下方に変位する。この結果、清掃ブラシＷＣＢは、対物レンズ９１０から塵埃や汚れを除去するのに十分な力を対物レンズ９１０に加えることができないこともある。【００２０】
上述の清浄処理の間、対物レンズ９１０は、光軸に対して直交する方向には、固定的に保持されている。一方、対物レンズ９１０は、光軸に平行な方向には、弾性的に保持されている。したがって、上述の如く、清掃ブラシＤＣＢ，ＷＣＢからの押圧力に応じて、対物レンズ９１０は、下方に変位することとなる。対物レンズ９１０の下方への変位は、対物レンズ９１０に作用する摺擦力を弱めるので、塵埃や汚れは、対物レンズ９１０から除去されないこともある。【００２１】
対物レンズ９１０に過度に強い力を加えるならば、対物レンズ９１０を弾性的に支持する支持部材は、塑性変形することもある。ＢＤを利用する光ディスク装置の対物レンズは、ＤＶＤを利用する光ディスク装置と較べて、非常に小さなワーキングディスタンスを有する。例えば、ＤＶＤ用のワーキングディスタンスは、約１．５ｍｍに設定されるのに対して、ＢＤ用のワーキングディスタンスは、０．２ｍｍから０．３ｍｍの範囲に設定される。したがって、ＢＤを利用する光ディスク装置の対物レンズを清浄するために清掃ブラシＤＣＢ，ＷＣＢを有するクリーニングディスクＤＣＤ，ＷＣＤが用いられるならば、対物レンズ９１０に過度に強い押圧力が加わりやすくなる。過度に強い押圧力は、対物レンズ９１０のフォーカス設定を不適切にすることもある。或いは、押圧力は、レンズを駆動するためのアクチュエータを破損させることもある。【００２２】
図３３は、湿式の清浄処理を受ける光ディスク装置９００の概略的な断面図である。図３０乃至図３３を参照して、従来の清浄処理が内包する課題が説明される。尚、図３３を参照して説明される課題は、乾式の清浄処理にも共通する。【００２３】
清掃ブラシＷＣＢは、対物レンズ９１０に斜めの押圧力（図３３中の矢印）を加えることもある。この場合、対物レンズ９１０を保持するレンズホルダ９２０には、捻り力が作用する。捻り力によって、レンズホルダ９２０を懸架するための保持ワイヤが塑性変形することもある。【００２４】
保持ワイヤが塑性変形は、対物レンズ９１０の不適切なフォーカシング動作及び／又は不適切なトラッキング動作を引き起こす。即ち、清浄処理後の光ディスク装置９００は、対物レンズ９１０を光ディスクＯＤに適切に追従させることができなくなることもある。【００２５】
対物レンズ９１０に対する清掃ブラシＤＣＢ，ＷＣＢの接触は、対物レンズ９１０の表面の擦過傷を作り出すこともある。擦過傷は、光ディスク装置の再生性能を著しく劣化させることもある。対物レンズ９１０が樹脂を用いて製造されるならば、擦過傷は、対物レンズ９１０と清掃ブラシＤＣＢ，ＷＣＢとの接触によって容易に引き起こされる。【００２６】
透過率、迷光及び収差といった観点から、反射防止膜が、対物レンズ９１０の表面に蒸着される。対物レンズ９１０に対する清掃ブラシＤＣＢ，ＷＣＢの接触は、対物レンズ９１０の表面からの反射防止膜の消失に帰結することもある。この結果、対物レンズ９１０の光学的な透過率は、大幅に低下することもある。或いは、反射防止膜の消失によって生ずる光束の散乱によって、迷光が大幅に増えることもある。或いは、反射防止膜の消失によって、収差が大幅に増大することもある。これらの光学的な特性の変化は、光ディスクＯＤへ情報を記録する記録性能や光ディスクＯＤから情報を再生する再生性能を大幅に劣化させることもある。
【先行技術文献】
【特許文献】
【００２７】
【特許文献１】特開２００８−１１２４９８号公報
【発明の概要】
【００２８】
本発明は、塵埃を適切に除去することを可能にする技術を提供する。
【００２９】
本発明の一局面に係る光ディスク装置は、光学的な情報処理を受ける処理面を有する媒体を回転させる駆動機構と、前記駆動機構を収容する筐体と、前記媒体が前記筐体内に収容される収容位置と、前記媒体が前記筐体から露出する露出位置と、の間で前記媒体を変位させるトレー機構と、前記収容位置に配置された前記媒体の前記処理面に集光し、前記情報処理を行う少なくとも１つの対物レンズと、第１位置と、前記第１位置よりも前記駆動機構によって回転される前記媒体の回転中心から離れた第２位置と、の間で、前記少なくとも１つの対物レンズを前記処理面に沿って、変位させる第１変位機構と、を備える。前記トレー機構は、前記第１位置よりも前記第２位置に近い位置において少なくとも１つの開口部を規定する。
【００３０】
本発明の他の局面に係るシート部材は、光学的な情報処理を受ける媒体を筐体内に収容する収容位置と、前記媒体を前記筐体から露出させる露出位置との間で変位させるトレー皿に据え付けられる。前記シート部材は、前記収容位置と前記露出位置との間での前記トレー皿の可動範囲を規定するように前記トレー皿に形成された開口領域を部分的に覆う。前記シート部材には、前記媒体の回転によって前記筐体内で生じた空気流が吹き出される開口部が形成される。
【００３１】
本発明の他の局面に係る対物レンズの清浄方法は、開口部が形成された開口片を、光学的な情報処理を受ける処理面を有する媒体と、前記処理面に対向する少なくとも１つの対物レンズと、の間に配置し、前記媒体が載置されるトレー皿の可動範囲を規定するように前記トレー皿に形成された開口領域を部分的に覆う工程と、前記媒体の回転によって空気流を生成し、前記少なくとも１つの対物レンズを、前記開口部から吹き出された前記空気流に曝す工程と、を有する。
【００３２】
本発明は、塵埃を適切に除去することを可能にする。
【００３３】
本発明の目的、特徴及び利点は、以下の詳細な説明と添付図面とによって、より明白となる。
【図面の簡単な説明】
【００３４】
【図１】第１実施形態の光ディスク装置の概略的なブロック図である。
【図２】図１に示される光ディスク装置の概略的な斜視図である。
【図３】図１に示される光ディスク装置の概略的な斜視図である。
【図４】図１に示される光ディスク装置の光学駆動部が備える例示的な光学ヘッドの概略図である。
【図５】図４に示される光学ヘッドのホログラム素子の概略図である。
【図６】図４に示される光学ヘッドの光検出器の概略図である。
【図７】図４に示される光学ヘッドのシリンドリカルレンズの概略図である。
【図８】図４に示される光学ヘッドの４分割受光領域の概略図である。
【図９】図１に示される光ディスク装置の概略図である。
【図１０】図１に示される光ディスク装置の概略的な展開斜視図である。
【図１１】図１に示される光ディスク装置の概略的な展開斜視図である。
【図１２Ａ】図１に示される光ディスク装置のトレー皿の概略的な平面図である。
【図１２Ｂ】図１２Ａに示されるトレー皿の概略的な縦断面図である。
【図１２Ｃ】図１２Ａに示されるトレー皿の概略的な底面図である。
【図１３Ａ】開口部から吹き出される旋回流に関するシミュレーションに用いられたモデルの概略図である。
【図１３Ｂ】シミュレーションの結果を表すベクトル図である。
【図１４】図１に示される光ディスク装置の例示的な動作を表す概略的なフローチャートである。
【図１５】開口片と、開口片の下方に配置された対物レンズユニットと、の間の位置関係を表す概略図である（第２実施形態）。
【図１６】第３実施形態の光ディスク装置の概略的な側面図である。
【図１７】第４実施形態の光ディスク装置の概略的なブロック図である。
【図１８】図１７に示される光ディスク装置の制御部の機能構成を表す概略的なブロック図である。
【図１９】第５実施形態の光ディスク装置の概略的なブロック図である。
【図２０】図１９に示される光ディスク装置の制御部の機能構成を表す概略的なブロック図である。
【図２１】第６実施形態の光ディスク装置の概略的なブロック図である。
【図２２Ａ】図２１に示される光ディスク装置のトレー皿の概略的な斜視図である。
【図２２Ｂ】図２１に示される光ディスク装置のトレー皿の概略的な斜視図である。
【図２３Ａ】図２１に示される光ディスク装置の例示的な変位機構の概略図である。
【図２３Ｂ】図２１に示される光ディスク装置の例示的な変位機構の概略図である。
【図２４】図２１に示される光ディスク装置の制御部の機能構成を表す概略的なブロック図である。
【図２５】図２４に示される制御部の動作を表す概略的なフローチャートである（情報処理制御）。
【図２６】図２４に示される制御部の動作を表す概略的なフローチャートである（清浄制御）。
【図２７Ａ】トレー皿の下で変位する開口片の概略的な斜視図である（第７実施形態）。
【図２７Ｂ】トレー皿の下で変位する開口片の概略的な斜視図である（第７実施形態）。
【図２８】トレー皿の概略的な断面図である（第８実施形態）。
【図２９】第８実施形態の光ディスク装置の概略的な斜視図である。
【図３０】従来の光ディスク装置の概略的な断面図である。
【図３１】図３０に示される光ディスク装置の概略的な断面図である。
【図３２】図３０に示される光ディスク装置の概略的な断面図である。
【図３３】図３０に示される光ディスク装置の概略的な断面図である。
【発明を実施するための形態】
【００３５】
以下、対物レンズの清浄技術に関する様々な特徴が図面を参照して説明される。尚、以下に説明される実施形態において、同一の構成要素に対して同一の符号が付されている。また、説明の明瞭化のため、必要に応じて、重複する説明は省略される。図面に示される構成、配置或いは形状並びに図面に関連する記載は、単に本実施形態の原理を容易に理解させることを目的とするものである。したがって、本実施形態の原理は、これらに何ら限定されるものではない。
【００３６】
＜第１実施形態＞
第１実施形態に関連して、対物レンズの清浄技術に関する基本原理が説明される。
【００３７】
（光ディスク装置）
図１は、光ディスク装置１００の概略的なブロック図である。図１を参照して、光ディスク装置１００が説明される。
【００３８】
光ディスク装置１００は、制御部２００と、光学駆動部３００と、ディスク駆動部４００と、トレー駆動部５００と、を備える。光学駆動部３００、ディスク駆動部４００及びトレー駆動部５００は、制御部２００の制御下で動作する。
【００３９】
ディスク駆動部４００は、ＢＤやＤＶＤといった光ディスクを回転させる。光ディスクは、光学駆動部３００から照射された光を受ける処理面を含む。光学駆動部３００から処理面への光の照射によって、情報が光ディスクに記録されてもよい。処理面は、光学駆動部３００から出射された光を反射し、反射光を生成する。光学駆動部３００は、反射光を受け取ってもよい。光学駆動部３００は、反射光に応じた信号を制御部２００に出力してもよい。制御部２００は、光学駆動部３００からの信号に応じて、光ディスクに記録された情報を再現する再生信号を生成してもよい。光ディスクへの情報の記録及び光ディスクからの情報の再生に関する技術は、ＢＤやＤＶＤに対して情報処理を行う既知の装置が有する記録技術及び再生技術であってもよい。本実施形態において、光ディスクへの情報の記録及び／又は光ディスクからの情報の再生は、光学的な情報処理として例示される。光ディスクは、媒体として例示される。ディスク駆動部４００は、駆動機構として例示される。
【００４０】
ディスク駆動部４００は、１つの光ディスクを回転させてもよい。代替的に、ディスク駆動部４００は、複数の光ディスクを回転させてもよい。本実施形態の原理は、光ディスク装置１００が利用する光ディスクの数に何ら限定されない。
【００４１】
情報の記録及び再生に用いられる光は、光学駆動部３００に組み込まれた対物レンズから出射される。制御部２００は、情報の記録及び再生を実行するための情報処理制御と、対物レンズを清浄するための清浄制御と、を選択的に実行する。
【００４２】
制御部２００が情報処理制御を実行している間、光学駆動部３００は、対物レンズを、光ディスクの半径方向に移動させる。この間、ディスク駆動部４００は、光ディスクを回転させる。この結果、処理面上の光の照射位置が変化し、光ディスクへの情報の記録及び／又は光ディスクからの情報の再生が行われることとなる。
【００４３】
制御部２００が清浄制御を行っている間においても、ディスク駆動部４００は、光ディスクを回転させる。この結果、光ディスクの周囲には、空気の流れが生ずる。この間、対物レンズが空気の流れに曝されるように、光学駆動部３００は、対物レンズの位置を調整する。本実施形態の原理は、対物レンズの清浄に十分な強さの空気の流れを作り出すための様々な技術を包含する。
【００４４】
光学駆動部３００には、１つの対物レンズが組み込まれてもよい。代替的に、光学駆動部３００には、複数の対物レンズが組み込まれてもよい。本実施形態の原理は、対物レンズの数に何ら限定されない。
【００４５】
トレー駆動部５００は、光ディスクが設置されるトレー皿と、トレー皿を駆動するためのローディング機構と、を含む。ＢＤやＤＶＤに対して情報処理を行う既知の装置に用いられる設計技術が、トレー皿やローディング機構に適用されてもよい。
【００４６】
本実施形態において、トレー駆動部５００は、トレー皿の駆動だけでなく、対物レンズの清浄のために用いられる空気の流れの創出に貢献する。
【００４７】
図２は、光ディスク装置１００の概略的な斜視図である。図１及び図２を参照して、光ディスク装置１００が更に説明される。
【００４８】
光ディスク装置１００は、筐体１１０を更に備える。制御部２００、光学駆動部３００、ディスク駆動部４００及びトレー駆動部５００は、筐体１１０内に収容される。尚、図２において、上述のトレー皿には、符号「５１０」が付されている。
【００４９】
図３は、光ディスク装置１００の概略的な斜視図である。図１乃至図３を参照して、光ディスク装置１００が更に説明される。尚、図３において、上述の光ディスクには、符号「ＯＤ」が付されている。
【００５０】
図３に示される如く、光ディスクＯＤは、トレー皿５１０に載置される。図２及び図３に示される如く、トレー駆動部５００は、トレー皿５１０を変位させ、光ディスクＯＤを、収容位置と露出位置との間で移動させる。図２に示される光ディスクＯＤ及びトレー皿５１０の位置は、収容位置である。収容位置において、光ディスクＯＤは、筐体１１０内に収容される。図３に示される光ディスクＯＤ及びトレー皿５１０の位置は、露出位置である。露出位置において、光ディスクＯＤは、筐体１１０から露出する。本実施形態において、トレー駆動部５００は、トレー機構として例示される。
【００５１】
露出位置において、光ディスクＯＤ及びトレー皿５１０は、筐体１１０の外の空気（以下、「外気」と称される）に曝される。外気に塵埃が浮遊しているならば、塵埃は、光ディスクＯＤ及びトレー皿５１０の露出位置から収容位置への移動によって、筐体１１０内に侵入することもある。筐体１１０内へ侵入した塵埃は、その後、対物レンズに付着することもある。本実施形態の清浄技術は、このような塵埃を対物レンズから効果的に除去することができる。
【００５２】
図４は、光学駆動部３００が備える例示的な光学ヘッド３１０の概略図である。図４を参照して、光学ヘッド３１０が説明される。尚、上述の対物レンズには、符号「３５１」が付されている。
【００５３】
光学ヘッド３１０は、半導体レーザ３１１、リレーレンズ３１２、ビームスプリッタ３１３、コリメートレンズ３１４、対物レンズユニット３５０、アクチュエータ３１５、ホログラム素子３７０、シリンドリカルレンズ３２０及び光検出器３９０を備える。半導体レーザ３１１は、光源として機能し、リレーレンズ３１２に向けてレーザ光を出射する。レーザ光は、リレーレンズ３１２を通過し、ビームスプリッタ３１３に入射する。ビームスプリッタ３１３は、コリメートレンズ３１４に向けて、レーザ光を反射する。その後、レーザ光は、コリメートレンズ３１４を通過し、対物レンズユニット３５０に到達する。
【００５４】
対物レンズユニット３５０に到達したレーザ光は、その後、光ディスクＯＤに向けて出射される。光ディスクＯＤは、レーザ光を反射又は回折する。以下の説明において、反射又は回折されたレーザ光は、「反射光」と称される。
【００５５】
反射光は、対物レンズユニット３５０及びコリメートレンズ３１４を通過し、ビームスプリッタ３１３に再度入射する。ビームスプリッタ３１３は、反射光の通過を許容するので、反射光は、ホログラム素子３７０及びシリンドリカルレンズ３２０を通過し、最終的に、光検出器３９０に到達する。
【００５６】
対物レンズユニット３５０は、光ディスクＯＤに対向する。対物レンズユニット３５０は、上述の対物レンズ３５１を含む。ビームスプリッタ３１３によって反射されたレーザ光及び光ディスクＯＤからの反射光は、対物レンズ３５１を通過する。
【００５７】
対物レンズユニット３５０は、対物レンズ３５１を保持するレンズホルダ３５２を更に含む。対物レンズ３５１は、レンズホルダ３５２に収容される。
【００５８】
対物レンズ３５１は、光ディスクＯＤに対向する対向面３５３を含む。光ディスクＯＤは、対向面３５３に対向する記録面ＲＳを含む。記録面ＲＳは、対向面３５３から出射された光を受ける。記録面ＲＳからの反射光は、対物レンズ３５１を通過する。対向面３５３と記録面ＲＳとの間で、情報が光学的に処理される。光学的な情報処理として、記録面ＲＳへの信号の記録や記録面ＲＳからの信号の再生が例示される。本実施形態において、記録面ＲＳは、処理面として例示される。
【００５９】
上述の如く、半導体レーザ３１１は、光源として利用される。半導体レーザ３１１は、リレーレンズ３１２に向けて、レーザ光を出射する。リレーレンズ３１２は、半導体レーザ３１１とリレーレンズ３１２との間において、焦点距離を微調整する。リレーレンズ３１２を透過したレーザ光は、ビームスプリッタ３１３によって、コリメートレンズ３１４に向けて反射される。コリメートレンズ３１４は、レーザ光を平行光束に変換する。その後、平行光束は、対物レンズユニット３５０に入射する。
【００６０】
対物レンズユニット３５０に入射したレーザ光は、対物レンズ３５１によって、光ディスクＯＤの記録面ＲＳに向けて集光される。光学ヘッド３１０は、記録面ＲＳへの集光を利用して、光ディスクＯＤの記録面ＲＳに信号を記録してもよい。代替的に、光学ヘッド３１０は、記録面ＲＳへの集光を利用して、記録面ＲＳに記録された信号を読み出してもよい。記録面ＲＳによって反射された光は、上述の反射光となる。反射光は、対物レンズユニット３５０に入射する。記録面ＲＳに記録された信号は、反射光を用いて再生される。
【００６１】
アクチュエータ３１５は、対物レンズユニット３５０をフォーカス方向（光軸方向）とトラッキング方向（ラジアル方向）とに駆動する。アクチュエータ３１５は、対物レンズユニット３５０をフォーカス方向に移動させ、記録面ＲＳと対向面３５３との間の距離を適切に調整することができる。アクチュエータ３１５は、対物レンズユニット３５０をトラッキング方向に移動させ、記録面ＲＳを走査することができる。この結果、記録面ＲＳに亘って、信号を記録及び／又は再生することができる。
【００６２】
光ディスクＯＤの記録面ＲＳからの反射光は、対物レンズユニット３５０及びコリメートレンズ３１４を通過し、ビームスプリッタ３１３に入射する。ビームスプリッタ３１３は、反射光の透過を許容する。
【００６３】
ビームスプリッタ３１３を透過した反射光は、ホログラム素子３７０に入射する。ホログラム素子３７０は、１ビーム法（ＡＰＰ法）に従って、トラッキングエラー信号を発生させる。
【００６４】
ホログラム素子３７０を透過した反射光は、シリンドリカルレンズ３２０に到達する。シリンドリカルレンズ３２０をその後透過した反射光は、光検出器３９０に入射する。
【００６５】
図５は、ホログラム素子３７０の概略図である。図４及び図５を参照して、ホログラム素子３７０が説明される。
【００６６】
図５のホログラム素子３７０中に描かれる実線は、ホログラム素子３７０の分割パターンを概略的に表す。図５のホログラム素子３７０中に描かれる点線は、ホログラム素子３７０を通過するレーザ光の形状（断面）を概略的に表す。
【００６７】
ホログラム素子３７０は、中央のメインビーム領域３７１と、メインビーム領域３７１の右及び左にそれぞれ配置されるＡＰＰメイン領域３７２，３７３と、ＡＰＰメイン領域３７２の上方及び下方に位置する２つのＡＰＰサブ領域３７４と、ＡＰＰメイン領域３７３の上方及び下方に位置する２つのＡＰＰサブ領域３７５と、に分割される。光ディスクＯＤの記録面ＲＳで回折された±１次光及び０次光の干渉光は、ＡＰＰメイン領域３７２，３７３に入射する。ＡＰＰサブ領域３７４，３７５には、０次光のみが入射する。
【００６８】
図６は、光検出器３９０の概略図である。図４乃至図６を参照して、ホログラム素子３７０と光検出器３９０との関係が説明される。
【００６９】
光検出器３９０は、ホログラム素子３７０に対向する受光面３９１を含む。受光面３９１は、４分割受光領域３９２と、ＡＰＰメイン受光部３９３，３９４と、ＡＰＰサブ受光部３９５，３９６と、を含む。ホログラム素子３７０のメインビーム領域３７１を通過したレーザ光は、４分割受光領域３９２に入射する。以下の説明において、メインビーム領域３７１を通過したレーザ光は、「メインビームＭＢ」と称される。ＡＰＰメイン領域３７２，３７３を通過したレーザ光は、ＡＰＰメイン受光部３９３，３９４にそれぞれ入射する。ＡＰＰメイン領域３７２，３７３を通過したレーザ光は、図６において、記号「ＡＭＢ」を用いて表されている。ＡＰＰサブ領域３７４，３７５を通過したレーザ光は、ＡＰＰサブ受光部３９５，３９６に入射する。ＡＰＰサブ領域３７４，３７５を通過したレーザ光は、図６において、記号「ＡＳＢ」を用いて表されている。
【００７０】
４分割受光領域３９２は、第１領域３８１と、第１領域３８１の右に位置する第２領域３８２と、第１領域３８１の下に位置する第３領域３８３と、第２領域３８２の下に位置する第４領域３８４と、を含む。第１領域３８１において検出された光に応じて生成された信号と第４領域３８４において検出された光に応じて生成された信号との和信号と、第２領域３８２において検出された光に応じて生成された信号と第３領域３８３において検出された光に応じて生成された信号との和信号と、の間の差に基づいて、フォーカスエラー信号が生成される。第１領域３８１において検出された光に応じて生成された信号と、第２領域３８２において検出された光に応じて生成された信号と、第３領域３８３において検出された光に応じて生成された信号と、第４領域３８４において検出された光に応じて生成された信号と、の総和に基づいて、ＲＦ信号が生成される。
【００７１】
ＡＰＰメイン受光部３９３，３９４においてそれぞれ検出された光に応じて生成された信号の差に基づいて、所謂プッシュプル信号が生成される。プッシュプル信号と、ＡＰＰサブ受光部３９５，３９６においてそれぞれ検出された光に応じて生成された信号と、を用いた所定の演算によって、所謂、ＡＰＰ法（アドバンスドプッシュプル法）に従うトラッキングエラー信号が生成される。トラッキングエラー信号を用いたトラッキングサーボ制御の下、対物レンズユニット３５０は、光ディスクＯＤの記録面ＲＳのトラックに対して追従される。
【００７２】
図７は、シリンドリカルレンズ３２０の概略図である。図６及び図７を参照して、シリンドリカルレンズ３２０が説明される。
【００７３】
シリンドリカルレンズ３２０は、コリメートレンズ３１４に対向する凹レンズ面３２１と、凹レンズ面３２１とは反対側のシリンドリカル面３２２と、を含む。シリンドリカル面３２２は、光軸に対して直交する面内において、前側焦線と後側焦線とによって規定される非点隔差を生じさせる。シリンドリカルレンズ３２０は、前側焦線と後側焦線との間に焦点を形成する。シリンドリカル面３２２は、光検出器３９０の４分割受光領域３９２に対して、略４５度傾斜している。
【００７４】
図８は、４分割受光領域３９２の概略図である。図４、図６乃至図８を参照して、４分割受光領域３９２が説明される。
【００７５】
４分割受光領域３９２が焦点位置に一致するように、光検出器３９０は位置決めされる。４分割受光領域３９２が焦点位置に一致しているならば、図８に示される如く、４分割受光領域３９２上のメインビームＭＢは、略円形である。
【００７６】
光ディスクＯＤの回転により記録面ＲＳがフォーカス方向に振動するならば、記録面ＲＳと対物レンズユニット３５０との間の相対距離は変動する。記録面ＲＳと対物レンズユニット３５０との間の相対距離の変動の結果、４分割受光領域３９２が前側焦線又は後側焦線に一致することもある。４分割受光領域３９２が前側焦線に一致するならば、図８に示される如く、メインビームＭＢは、第１領域３８１と第４領域３８４との間で延びる略楕円形となる。４分割受光領域３９２が後側焦線に一致するならば、図８に示される如く、メインビームＭＢは、第２領域３８２と第３領域３８３との間で延びる略楕円形となる。
【００７７】
図９は、光ディスク装置１００の概略図である。図１、図４、図６及び図９を用いて、光ディスク装置１００が説明される。
【００７８】
光学駆動部３００は、光学ヘッド３１０をトラッキング方向に移動させるトラバース装置３３０を更に備える。光学ヘッド３１０は、トラバース装置３３０に取り付けられる。光学ヘッド３１０が光ディスクＯＤの回転軸ＲＸの近くで光ディスクＯＤの記録面ＲＳに対向する内位置と、光学ヘッド３１０が内位置よりも回転軸ＲＸから離れた位置で記録面ＲＳに対向する外位置と、の間で、トラバース装置３３０は、光学ヘッド３１０を、記録面ＲＳに沿って移動させる。この結果、記録面ＲＳ上の光（光学ヘッド３１０から出射された光）の点は、内位置と外位置との間で移動することとなる。本実施形態において、トラバース装置３３０は、第１変位機構として例示される。内位置は、第１位置として例示される。外位置は、第２位置として例示される。回転軸ＲＸは、回転中心として例示される。
【００７９】
ディスク駆動部４００は、クランパ４１０と、ターンテーブル４２０と、スピンドルモータ４３０と、を備える。トレー皿５１０によって収容位置に配置された光ディスクＯＤは、クランパ４１０とターンテーブル４２０とによって挟持される。スピンドルモータ４３０は、ターンテーブル４２０に接続される。ターンテーブル４２０は、スピンドルモータ４３０によって回転される。この結果、光ディスクＯＤは、トレー皿５１０上で回転する。
【００８０】
制御部２００は、制御回路２１０、信号処理回路２２０及び入出力回路（以下、「ＩＯ回路２３０」と称される）を更に備える。上述の如く、光学ヘッド３１０は、光ディスクＯＤからの反射光に応じて、様々な信号を生成する。光学ヘッド３１０は、生成された信号を制御回路２１０に出力する。制御回路２１０は、光学ヘッド３１０からの信号に応じて、フォーカス制御、トラッキング制御、トラバース制御やスピンドルモータ４３０に対する回転制御といった様々な制御を実行する。これらの制御は、既知の光学的情報処理技術に用いられている制御であってもよい。光学ヘッド３１０は、光ディスクＯＤからの反射光に応じて、再生信号を生成する。再生信号は、制御回路２１０を通じて、信号処理回路２２０に出力される。信号処理回路２２０は、再生信号に応じて、情報を再生する。信号処理回路２２０によって再生された情報を含む信号は、ＩＯ回路２３０に出力される。これらの再生処理は、既知の光学的処理技術に用いられている再生技術であってもよい。ＩＯ回路２３０は、光ディスクＯＤに記録される情報を含む信号を外部装置（図示せず）から受けてもよい。ＩＯ回路２３０に入力された信号は、信号処理回路２２０及び制御回路２１０を通じて、光学ヘッド３１０に出力される。光学ヘッド３１０は、ＩＯ回路２３０に入力された信号に応じて、光ディスクＯＤに情報を書き込んでもよい。これらの書き込み技術は、既知の光学処理技術に用いられている記録技術であってもよい。
【００８１】
図１０は、光ディスク装置１００の概略的な展開斜視図である。図１、図９及び図１０を参照して、光ディスク装置１００が説明される。
【００８２】
筐体１１０は、支持フレーム１１１と、外装ケース１１２と、を備える。制御部２００、光学駆動部３００、ディスク駆動部４００及びトレー駆動部５００は、支持フレーム１１１上に構築されてもよい。外装ケース１１２は、支持フレーム１１１上に構築された制御部２００、光学駆動部３００、ディスク駆動部４００及びトレー駆動部５００を覆う。
【００８３】
筐体１１０は、クランパ４１０を保持するための保持プレート１１３を更に備える。支持フレーム１１１は、トレー皿５１０を支持する底板１１４と、底板１１４の左縁から立設する内左板１１５と、底板１１４の右縁から立設する内右板１１６と、内左板１１５と内右板１１６との間で立設する背板１２１と、を含む。保持プレート１１３は、回転軸ＲＸに対応する位置において、内左板１１５と内右板１１６との間で延びる。
【００８４】
外装ケース１１２は、内左板１１５の左に配置される外左板１１７と、内右板１１６の右に配置される外右板１１８と、外左板１１７と外右板１１８との間でトレー皿５１０に対向する上板１１９と、を含む。クランパ４１０は、上板１１９と保持プレート１１３との間で上下動する。クランパ４１０を上下動させるための機構は、ＢＤやＤＶＤに対して情報処理を行う既知の装置が備えるクランプ構造と同様であってもよい。
【００８５】
クランパ４１０が下方に移動すると、光ディスクＯＤは、ターンテーブル４２０とクランパ４１０とによって挟まれる。
【００８６】
図１１は、光ディスク装置１００の概略的な展開斜視図である。図２、図３、図９及び図１１を参照して、光ディスク装置１００が説明される。
【００８７】
図１１において、上述のローディング機構には、符号「５２０」が付されている。ローディング機構５２０は、トレー皿５１０を、収容位置（図２を参照）と露出位置（図３を参照）との間で変位させる。
【００８８】
トレー皿５１０は、背板１２１とは反対側の前壁５１１と、前壁５１１から背板１２１に向けて延びる底壁５１２と、を含む。底壁５１２は、小さなサイズの光ディスク（図示せず）を支持するための支持領域５１３と、大きなサイズの光ディスクＯＤを支持する支持領域５１４と、を含む。底壁５１２は、支持領域５１３，５１４の間で立設された円形立設面５１５を含む。支持領域５１３及び円形立設面５１５は、小さなサイズの光ディスクが回転する回転空間を規定する。底壁５１２は、支持領域５１４の外縁に沿って立設された円形立設面５１６を含む。支持領域５１４及び円形立設面５１６は、大きなサイズの光ディスクＯＤが回転する回転空間を規定する。
【００８９】
底壁５１２には、開口領域５３０が形成される。開口領域５３０は、回転軸ＲＸを中心とする略半円形状の第１開口領域５３１と、第１開口領域５３１から背板１２１に向けて延びる略長方形状の第２開口領域５３２と、を含む。スピンドルモータ４３０に支持されたターンテーブル４２０は、開口領域５３０内に現れる。第２開口領域５３２は、トレー皿５１０の移動方向に沿って延びるので、トレー皿５１０は、ターンテーブル４２０に干渉することなく、収容位置と露出位置との間で変位することができる。
【００９０】
第２開口領域５３２内には、対物レンズユニット３５０が現れる。トラバース装置３３０（図９を参照）は、対物レンズユニット３５０を第２開口領域５３２に沿って移動させる。
【００９１】
（清浄原理）
図１２Ａは、トレー皿５１０の概略的な平面図である。図１２Ｂは、トレー皿５１０の概略的な縦断面図である。図１２Ｃは、トレー皿５１０の概略的な底面図である。図１、図４、図９、図１２Ａ乃至図１２Ｃを参照して、清浄原理が説明される。
【００９２】
トレー駆動部５００は、開口片５５０を備える。開口片５５０には、１つの開口部５５１が形成される。代替的に、開口片には、複数の開口部が形成されてもよい。本実施形態の原理は、開口部の数によって限定されない。図１２Ａ乃至図１２Ｃに示される開口部５５１は、略円形である。代替的に、開口部は、他の形状（例えば、楕円、矩形や三角形）であってもよい。
【００９３】
図１２Ａ乃至図１２Ｃにおいて、符号「ＲＤ」で示される矢印は、光ディスクＯＤの回転方向を表す。光ディスクＯＤが回転すると、底壁５１２と記録面ＲＳとの間には、旋回流ＷＦが発生する。旋回流ＷＦの旋回方向は、光ディスクＯＤの回転方向ＲＤと等しい。尚、光ディスクＯＤの回転方向ＲＤは、本実施形態の原理を、何ら限定しない。したがって、光ディスクＯＤは、時計回りに回転してもよいし、或いは、反時計回りに回転してもよい。本実施形態において、旋回流ＷＦは、空気流として例示される。
【００９４】
制御部２００が清浄制御を実行している間、開口片５５０は、対物レンズユニット３５０と光ディスクＯＤとの間に配置される。この間、開口片５５０は、開口領域５３０を部分的に閉塞する。この結果、旋回流ＷＦは、開口領域５３０から流出しにくくなるので、開口片５５０に形成された開口部５５１から集中的に流出することになる。開口部５５１が、開口領域５３０に重畳するように、開口片５５０は配置されるので、開口部５５１から流出した旋回流ＷＦは、底壁５１２に妨げられることなく、対物レンズ３５１に直接的に吹き付けられることになる。
【００９５】
図１２Ｃにおいて、内位置及び外位置に配置された対物レンズユニット３５０は、鎖線で表されている。加えて、図１２Ｃにおいて、対物レンズユニット３５０の可動範囲ＭＲが示されている。尚、内位置及び外位置は、対物レンズ３５１の対向面３５３（図４を参照）の中心によって、定義されてもよい。
【００９６】
遠心作用によって、旋回流ＷＦは、回転軸ＲＸの近い位置よりも回転軸ＲＸから離れた位置において強くなる。したがって、制御部２００が清浄制御を実行している間、トラバース装置３３０（図９を参照）は、制御部２００の制御下で、対物レンズユニット３５０を外位置に配置してもよい。開口部５５１が、内位置よりも外位置の近くに位置づけられるならば、対物レンズ３５１は、強い旋回流ＷＦに曝されることになる。
【００９７】
光ディスクＯＤは、外形輪郭を規定する外縁ＯＥを含む。回転軸ＲＸと外縁ＯＥとの間の距離Ｒａ（即ち、光ディスクＯＤ）を超えて、対物レンズ３５１が回転軸ＲＸから離れるならば、対物レンズ３５１に吹き付けられる旋回流ＷＦが弱まることもある。したがって、制御部２００が清浄制御を実行している間、トラバース装置３３０は、制御部２００の制御下で、対物レンズ３５１を記録面ＲＳに対向させてもよい。必要に応じて、距離Ｒａを超えて、対物レンズ３５１が回転軸ＲＸから離間してもよい。対物レンズ３５１が強い旋回流ＷＦに曝されるならば、回転軸ＲＸに対する対物レンズ３５１の位置は、本実施形態の原理を限定しない。
【００９８】
制御部２００が清浄制御を実行している間における対物レンズ３５１の位置は、以下の条件を満たすように設定されてもよい。
【００９９】
【数１】
2014073129.tif 000003
【０１００】
対物レンズ３５１が、回転軸ＲＸ周りに距離Ｒａの２分の１の長さの半径を有する円形領域外、且つ、回転軸ＲＸ周りに距離Ｒａの長さの半径を有する円形領域内に配置されるならば、対物レンズ３５１は、開口部５５１から吹き出された強い旋回流ＷＦに曝されることになる。
【０１０１】
図１２Ｃには、内位置と外位置との間での対物レンズ３５１の移動軌跡を表す軌跡線ＴＲが示されている。開口部５５１は、光ディスクＯＤの回転方向ＲＤにおいて、軌跡線ＴＲの上流に位置づけられてもよい。旋回流ＷＦの旋回方向は、光ディスクＯＤの回転方向ＲＤと同じであるので、対物レンズ３５１は、強い旋回流ＷＦに曝されることになる。本実施形態において、開口部５５１は、上流開口部として例示される。
【０１０２】
図１２Ｃは、回転軸ＲＸと対物レンズ３５１の対向面３５３の中心との間の距離ＤＳ１と、回転軸ＲＸと開口部５５１の中心との間の距離ＤＳ２と、を示す。距離ＤＳ２が距離ＤＳ１よりも短くなるように、開口片５５０は配置される。旋回流ＷＦは、回転軸ＲＸから外方に向けて流れるので、上記の距離の条件の下、対物レンズ３５１は、強い旋回流ＷＦに曝されることになる。
【０１０３】
図１３Ａは、開口部から吹き出される旋回流に関するシミュレーションに用いられたモデルの概略図である。図１３Ｂは、シミュレーションの結果を表すベクトル図である。図１３Ａ及び図１３Ｂを参照して、開口部から吹き出される旋回流が説明される。
【０１０４】
図１３Ａに示される鎖線は、対物レンズの移動軌跡に対して直角である。開口部は、光ディスクの回転方向において、鎖線に対して上流にシフトしている。即ち、鎖線に対して上流側の開口部の面積は、下流側の開口部の面積よりも広くなっている。図１３Ａ及び図１３Ｂに示される如く、対物レンズに対して、開口部が上流にシフトすることによって、旋回流は、対物レンズに強く衝突することになる。この結果、塵埃は、対物レンズから効果的に除去される。
【０１０５】
図１４は、光ディスク装置１００の例示的な動作を表す概略的なフローチャートである。図１、図４及び図１４を参照して、光ディスク装置１００の動作が説明される。
【０１０６】
（ステップＳ１１０）
ステップＳ１１０において、使用者は、光ディスク装置１００に電力を供給する。この結果、制御部２００は、光学駆動部３００、ディスク駆動部４００及びトレー駆動部５００に対する制御を開始する。その後、ステップＳ１２０が実行される。
【０１０７】
（ステップＳ１２０）
ステップＳ１２０において、制御部２００は、清浄制御を実行する。制御部２００は、ディスク駆動部４００を制御し、光ディスクＯＤを回転させる。清浄制御下の光ディスクＯＤは、情報処理制御下の光ディスクＯＤよりも高い回転数で回転されてもよい。開口片５５０が機械的に変位されるならば、制御部２００は、トレー駆動部５００を制御し、開口片５５０を対物レンズ３５１と光ディスクＯＤとの間に配置してもよい。代替的に、使用者が手動式に開口片５５０を対物レンズ３５１と光ディスクＯＤとの間に配置してもよい。開口片５５０の配置技術は、以下の様々な実施形態に関連して説明される。制御部２００が、所定の期間、清浄制御を実行した後、ステップＳ１３０が実行される。代替的に、光検出器３９０からの出力信号が所定の閾値を超えているならば、ステップＳ１３０が実行されてもよい。
【０１０８】
（ステップＳ１３０）
ステップＳ１３０において、制御部２００は、情報処理制御を実行する。情報処理制御下において、光ディスク装置１００は、ＢＤやＤＶＤに対して情報処理を行う既知の装置と同様の動作（記録動作及び／又は再生動作）を行ってもよい。尚、開口片５５０が機械的に変位されるならば、制御部２００は、トレー駆動部５００を制御し、開口片５５０を、対物レンズ３５１と光ディスクＯＤとの間の空間から除去する。情報処理制御が終了すると、ステップＳ１４０が実行される。
【０１０９】
（ステップＳ１４０）
ステップＳ１４０において、制御部２００は、光検出器３９０からの出力信号（例えば、Ｓ／Ｎ比）を参照し、出力信号が所定の閾値を下回っているか否かを判定する。出力信号が所定の閾値を下回っているならば、ステップＳ１５０が実行される。他の場合には、制御は終了する。
【０１１０】
（ステップＳ１５０）
ステップＳ１５０において、制御部２００は、浄化制御を実行する。浄化制御下にある光ディスク装置１００の動作は、ステップＳ１２０における光ディスク装置１００の動作と同一であってもよい。
【０１１１】
＜第２実施形態＞
第１実施形態に関連して説明された対物レンズの清浄技術は、複数の対物レンズの清浄にも適用可能である。第２実施形態に関連して、複数の対物レンズの清浄技術が説明される。
【０１１２】
図１５は、開口片５５０Ａと、開口片５５０Ａの下方に配置された対物レンズユニット３５０Ａと、の間の位置関係を表す概略図である。尚、開口片５５０Ａは、第１実施形態に関連して説明された開口片５５０に代えて利用可能である。対物レンズユニット３５０Ａは、第１実施形態に関連して説明された対物レンズユニット３５０に代えて利用可能である。
【０１１３】
対物レンズユニット３５０Ａは、３つの対物レンズ３６１，３６２，３６３を含む。対物レンズ３６１からは、約７８０ｎｍの波長のレーザ光が出射されてもよい。対物レンズ３６２からは、約６５０ｎｍの波長のレーザ光が出射されてもよい。対物レンズ３６３からは、約４０５ｎｍの波長のレーザ光が出射されてもよい。尚、対物レンズユニットから出射されるレーザ光の種類や数は、使用される光ディスクの種類に依存する。本実施形態において、対物レンズ３６１，３６２，３６３のうち１つは、第１対物レンズとして例示される。対物レンズ３６１，３６２，３６３のうち他のもう１つは、第２対物レンズとして例示される。
【０１１４】
開口片５５０Ａには、３つの開口部５７１，５７２，５７３が形成される。開口部５７１から吹き出された旋回流ＷＦ１が、外位置に配置された対物レンズ３６１に主に衝突するように、開口部５７１の位置は設定される。開口部５７２から吹き出された旋回流ＷＦ２が、外位置に配置された対物レンズ３６２に主に衝突するように、開口部５７２の位置は設定される。開口部５７３から吹き出された旋回流ＷＦ３が、外位置に配置された対物レンズ３６３に主に衝突するように、開口部５７３の位置は設定される。開口部５７１，５７２，５７３の位置は、第１実施形態に関連して説明された原理に基づいて、適切に定められる。本実施形態において、開口部５７１，５７２，５７３のうち１つは、第１開口部として例示される。開口部５７１，５７２，５７３のうち他のもう１つは、第２開口部として例示される。
【０１１５】
＜第３実施形態＞
第１実施形態に関連して説明された対物レンズの清浄技術は、２つの記録面を有する光ディスクの使用下においても適用可能である。第３実施形態に関連して、２つの記録面を有する光ディスクの使用下における洗浄技術が説明される。
【０１１６】
図１６は、光ディスク装置１００Ｂの概略的な側面図である。図１６を参照して、光ディスク装置１００Ｂが説明される。尚、光ディスク装置１００Ｂは、第１実施形態に関連して説明された全ての要素を含んでもよい。
【０１１７】
第１実施形態に関連して説明された光ディスクＯＤと同様に、光ディスクＤＤは、記録面ＲＳを備える。光ディスクＤＤは、記録面ＲＳとは反対の追加的な記録面ＱＳを更に含む。第１実施形態と同様に、対物レンズユニット３５０は、記録面ＲＳに情報を記録するために、及び／又は、記録面ＲＳから情報を再生するために用いられる。開口片５５０は、対物レンズユニット３５０の対物レンズ３５１を清浄するために利用される。
【０１１８】
光ディスク装置１００Ｂは、追加的な対物レンズユニット３５０Ｂを更に備える。対物レンズユニット３５０Ｂは、対物レンズ３５１Ｂを備える。対物レンズユニット３５０Ｂは、記録面ＱＳに情報を記録するために、及び／又は、記録面ＱＳから情報を再生するために用いられる。尚、対物レンズユニット３５０Ｂの構造及び対物レンズユニット３５０Ｂを駆動するための機構は、対物レンズユニット３５０の構造及び対物レンズユニット３５０を駆動するための機構とそれぞれ同一であってもよい。
【０１１９】
光ディスク装置１００Ｂは、追加的な開口片５５０Ｂを更に備える。清浄制御下において、開口片５５０Ｂは、対物レンズユニット３５０Ｂと記録面ＱＳとの間に配置される。開口片５５０Ｂの構造は、開口片５５０と同一であってもよい。
【０１２０】
開口片５５０Ｂは、対物レンズ３５１Ｂを清浄するために用いられる。開口片５５０Ｂを用いた対物レンズ３５１Ｂの清浄原理は、第１実施形態に説明された清浄原理と同一である。
【０１２１】
＜第４実施形態＞
第１実施形態に関連して説明された対物レンズの洗浄技術は、旋回流を利用する。対物レンズが旋回流に強く当たるように、対物レンズの位置が調整されるならば、対物レンズの塵埃は、効果的に除去される。本実施形態に関連して、対物レンズの位置の調整技術が説明される。
【０１２２】
図１７は、光ディスク装置１００Ｃの概略的なブロック図である。図１７を参照して、光ディスク装置１００Ｃが説明される。第１実施形態と同一の符号に対して、同一の符号が付されている。同一の符号が付された要素に対して、第１実施形態の説明が援用される。
【０１２３】
第１実施形態と同様に、光ディスク装置１００Ｃは、光学駆動部３００と、ディスク駆動部４００と、トレー駆動部５００と、を備える。光ディスク装置１００Ｃは、制御部２００Ｃを更に備える。制御部２００Ｃは、光学駆動部３００と、ディスク駆動部４００と、トレー駆動部５００と、を制御する。
【０１２４】
図１８は、制御部２００Ｃの機能構成を表す概略的なブロック図である。図４、図１２Ｃ及び図１８を参照して、制御部２００Ｃが説明される。
【０１２５】
制御部２００Ｃは、入力部２４１と、モード決定部２４２と、再生信号生成部２４３と、第１信号生成部２４４と、第２信号生成部２４５と、信号解析部２４６と、を備える。第１実施形態に関連して説明された如く、光検出器３９０は、受け取った光の量に応じて、電気信号を生成する。電気信号は、光検出器３９０から入力部２４１に出力される。モード決定部２４２は、制御モードを、情報処理制御と清浄制御とから選択する。本実施形態において、光検出器３９０は、検出部として例示される。
【０１２６】
モード決定部２４２は、選択された制御モードに関する情報を、入力部２４１と、第１信号生成部２４４と、第２信号生成部２４５と、に出力する。モード決定部２４２が、制御モードとして、情報処理制御を決定すると、入力部２４１は、光検出器３９０からの電気信号の出力先を再生信号生成部２４３に設定する。再生信号生成部２４３は、入力部２４１からの電気信号に応じて、再生信号を生成する。再生信号は、再生信号生成部２４３から外部装置ＥＤ（例えば、パーソナルコンピュータ）に出力される。外部装置ＥＤは、光ディスクＯＤに記録された情報を再生する。この間、第１信号生成部２４４は、トラバース装置３３０を駆動するための第１駆動信号を生成する。第１駆動信号は、第１信号生成部２４４からトラバース装置３３０に出力される。トラバース装置３３０は、第１駆動信号に応じて、トラッキング方向に対物レンズユニット３５０を変位させる。モード決定部２４２が、制御モードとして、情報処理制御を決定するならば、第２信号生成部２４５は、アクチュエータ３１５を駆動するための第２駆動信号を生成する。第２駆動信号は、第２信号生成部２４５からアクチュエータ３１５へ出力される。アクチュエータ３１５は、第２駆動信号に応じて、トラッキング方向及び／又はフォーカス方向に対物レンズ３５１を変位させる。本実施形態において、アクチュエータ３１５は、調整部として例示される。
【０１２７】
モード決定部２４２が、制御モードとして、清浄制御を選択すると、入力部２４１は、光検出器３９０からの電気信号の出力先を信号解析部２４６に設定する。モード決定部２４２が、制御モードとして、清浄制御を選択すると、第１信号生成部２４４は、対物レンズユニット３５０を外位置（図１２Ｃを参照）に位置決めするための第１駆動信号を生成する。第１駆動信号は、第１信号生成部２４４からトラバース装置３３０に出力される。トラバース装置３３０は、第１駆動信号に応じて、対物レンズユニット３５０を外位置に位置決めする。
【０１２８】
対物レンズユニット３５０が、トラバース装置３３０によって、外位置に位置決めされた後、第２信号生成部２４５は、対物レンズ３５１をトラッキング方向及び／又はフォーカス方向に所定の範囲で変位させるための第２駆動信号を生成する。対物レンズ３５１は、第２駆動信号に応じて、トラッキング方向及び／又はフォーカス方向に所定範囲で変位される。
【０１２９】
対物レンズ３５１が、第２駆動信号に応じて、トラッキング方向及び／又はフォーカス方向に変位している間、対物レンズ３５１が旋回流ＷＦから受ける力の大きさや角度は変動する。対物レンズ３５１に付着した塵埃が効果的に除去される位置に対物レンズ３５１が配置されるならば、光検出器３９０が受け取る光量は増大する。
【０１３０】
対物レンズ３５１が、第２駆動信号に応じて、トラッキング方向及び／又はフォーカス方向に変位している間、信号解析部２４６は、光検出器３９０から出力された電気信号によって表される光量のデータを、対物レンズ３５１の位置と関連づけて蓄積してもよい。信号解析部２４６は、その後、光量が最も増大した対物レンズ３５１の位置を見極めてもよい。光量が最も増大した対物レンズ３５１の位置に関する情報は、信号解析部２４６から第２信号生成部２４５に出力されてもよい。第２信号生成部２４５は、信号解析部２４６からの情報によって表される位置に対物レンズ３５１を位置決めするための第２駆動信号を生成する。第２駆動信号は、第２信号生成部２４５からアクチュエータ３１５へ出力される。アクチュエータ３１５は、第２駆動信号に応じて、対物レンズ３５１を位置決めする。この結果、塵埃は、対物レンズ３５１から効果的に除去される。
【０１３１】
本実施形態において、清浄制御下において、対物レンズ３５１は、最大の光量増大幅が見出された位置に配置される。代替的に、対物レンズ３５１は、光量の増加率が最大となる位置に配置されてもよい。更に代替的に、対物レンズ３５１は、所定の光量の変化パターンが見出される位置に配置されてもよい。
【０１３２】
＜第５実施形態＞
第１実施形態に関連して説明された対物レンズの洗浄技術は、旋回流を利用する。旋回流に起因する力に加えて、他の外力が、対物レンズに付着した塵埃に加えられるならば、塵埃は、対物レンズから効果的に除去される。本実施形態に関連して、追加的な力を塵埃に加えるための技術が説明される。
【０１３３】
図１９は、光ディスク装置１００Ｄの概略的なブロック図である。図１９を参照して、光ディスク装置１００Ｄが説明される。第４実施形態と同一の符号に対して、同一の符号が付されている。同一の符号が付された要素に対して、第４実施形態の説明が援用される。
【０１３４】
第４実施形態と同様に、光ディスク装置１００Ｄは、光学駆動部３００と、ディスク駆動部４００と、トレー駆動部５００と、を備える。光ディスク装置１００Ｄは、制御部２００Ｄを更に備える。制御部２００Ｄは、光学駆動部３００と、ディスク駆動部４００と、トレー駆動部５００と、を制御する。
【０１３５】
図２０は、制御部２００Ｄの機能構成を表す概略的なブロック図である。図４、図１２Ｃ及び図２０を参照して、制御部２００Ｄが説明される。
【０１３６】
第４実施形態と同様に、制御部２００Ｄは、再生信号生成部２４３と、第１信号生成部２４４と、を備える。制御部２００Ｄは、モード決定部２４２Ｄと、第２信号生成部２４５Ｄと、を更に備える。
【０１３７】
モード決定部２４２Ｄは、選択された制御モードに関する情報を、第１信号生成部２４４と、第２信号生成部２４５Ｄと、に出力する。光検出器３９０は、受け取った光の量に応じて、電気信号を生成する。制御モードとして、情報処理制御を決定したモード決定部２４２Ｄは、光検出器３９０からの電気信号の出力先を再生信号生成部２４３に設定する。再生信号生成部２４３は、モード決定部２４２Ｄからの電気信号に応じて、再生信号を生成する。再生信号は、再生信号生成部２４３から外部装置ＥＤ（例えば、パーソナルコンピュータ）に出力される。外部装置ＥＤは、光ディスクＯＤに記録された情報を再生する。この間、第１信号生成部２４４は、トラバース装置３３０を駆動するための第１駆動信号を生成する。第１駆動信号は、第１信号生成部２４４からトラバース装置３３０に出力される。トラバース装置３３０は、第１駆動信号に応じて、トラッキング方向に対物レンズユニット３５０を変位させる。モード決定部２４２Ｄが、制御モードとして、情報処理制御を決定するならば、第２信号生成部２４５Ｄは、アクチュエータ３１５を駆動するための第２駆動信号を生成する。第２駆動信号は、第２信号生成部２４５Ｄからアクチュエータ３１５へ出力される。アクチュエータ３１５は、第２駆動信号に応じて、トラッキング方向及び／又はフォーカス方向に対物レンズ３５１を変位させる。
【０１３８】
制御モードとして、清浄制御を選択したモード決定部２４２Ｄは、再生信号生成部２４３への電気信号の出力を停止する。この間、モード決定部２４２は、第１信号生成部２４４に、対物レンズユニット３５０を外位置（図１２Ｃを参照）に位置決めするための第１駆動信号を生成させる。第１駆動信号は、第１信号生成部２４４からトラバース装置３３０に出力される。トラバース装置３３０は、第１駆動信号に応じて、対物レンズユニット３５０を外位置に位置決めする。
【０１３９】
対物レンズユニット３５０が、トラバース装置３３０によって、外位置に位置決めされた後、モード決定部２４２Ｄは、第２信号生成部２４５Ｄに、対物レンズ３５１をトラッキング方向及び／又はフォーカス方向に振動させるための第２駆動信号を生成させる。アクチュエータ３１５は、対物レンズ３５１を、第２駆動信号に応じて、トラッキング方向及び／又はフォーカス方向に振動させる。対物レンズ３５１に付着した塵埃は、対物レンズ３５１の振動に起因した外力を受ける。この結果、塵埃は、対物レンズ３５１から除去されやすくなる。本実施形態において、アクチュエータ３１５は、振動部として例示される。
【０１４０】
＜第６実施形態＞
第１実施形態に関連して説明された対物レンズの洗浄技術は、トレー皿に形成された開口領域を、開口片を用いて部分的に覆い、開口片に形成された開口部から噴出される旋回流を強める。対物レンズは、強められた旋回流に曝されるので、塵埃は、対物レンズから効果的に除去される。浄化制御下において、開口片によって部分的に覆われる開口領域は、情報処理制御下において、対物レンズの移動に利用される。したがって、情報処理制御下において、開口片が開口領域を覆っているならば、開口片は、対物レンズを用いた光学的な情報処理を邪魔することもある。本実施形態において、開口領域を適時に覆う開口片に関する技術が説明される。
【０１４１】
図２１は、光ディスク装置１００Ｅの概略的なブロック図である。図２１を参照して、光ディスク装置１００Ｅが説明される。第１実施形態及び／又は第５実施形態と同一の符号に対して、同一の符号が付されている。同一の符号が付された要素に対して、第１実施形態及び／又は第５実施形態の説明が援用される。
【０１４２】
第１実施形態と同様に、光ディスク装置１００Ｅは、光学駆動部３００と、ディスク駆動部４００と、を備える。光ディスク装置１００Ｅは、制御部２００Ｅと、トレー駆動部５００Ｅと、を更に備える。制御部２００Ｅは、光学駆動部３００と、ディスク駆動部４００と、トレー駆動部５００Ｅと、を制御する。
【０１４３】
図２２Ａ及び図２２Ｂは、トレー皿５１０の概略的な斜視図である。図２１乃至図２２Ｂを参照して、トレー駆動部５００Ｅが説明される。
【０１４４】
第１実施形態と同様に、トレー駆動部５００Ｅは、トレー皿５１０と、開口片５５０と、を備える。トレー皿５１０の底壁５１２は、第２開口領域５３２の左側の左領域５１７と、第２開口領域５３２の右側の右領域５１８と、左領域５１７と右領域５１８との間の略矩形状の中央領域５１９と、を含む。左領域５１７、右領域５１８及び中央領域５１９の縁部は、第２開口領域５３２の輪郭を規定する。
【０１４５】
図２２Ａは、制御部２００Ｅが、情報処理制御を実行している間の開口片５５０を示す。制御部２００Ｅが、情報処理制御を実行している間、開口片５５０は、中央領域５１９の下方に配置され、第２開口領域５３２をほとんど覆わない。
【０１４６】
図２２Ｂは、制御部２００Ｅが、清浄制御を実行している間の開口片５５０を示す。制御部２００Ｅが、清浄制御を実行している間、開口片５５０は、前壁５１１に向けて変位し、第２開口領域５３２を部分的に覆う。
【０１４７】
図２３Ａ及び図２３Ｂは、開口片５５０を変位させる例示的な変位機構５６０の概略図である。図２１乃至図２３Ｂを参照して、変位機構５６０が説明される。
【０１４８】
トレー駆動部５００Ｅは、変位機構５６０を更に備える。変位機構５６０は、ステッピングモータ５６１と、ステッピングモータ５６１によって回転されるスクリューシャフト５６２と、スクリューシャフト５６２に螺合される接続片５６３と、を含む。開口片５５０は、接続片５６３に固定される。
【０１４９】
図２３Ａに示される開口片５５０の位置は、図２２Ａに示される開口片５５０の位置に対応する。図２３Ｂに示される開口片５５０の位置は、図２２Ｂに示される開口片５５０の位置に対応する。ステッピングモータ５６１の動作に応じて、開口片５５０は、前方又は後方に変位する。本実施形態において、変位機構５６０は、第２変位機構として例示される。代替的に、第２変位機構は、開口片５５０を変位させることができる他の機構（例えば、シリンダ装置やレバー機構）であってもよい。
【０１５０】
図２４は、制御部２００Ｅの機能構成を表す概略的なブロック図である。図１２Ｃ、図２２Ａ、図２２Ｂ及び図２４を参照して、制御部２００Ｅが説明される。
【０１５１】
第５実施形態と同様に、制御部２００Ｅは、再生信号生成部２４３と、第１信号生成部２４４と、を備える。制御部２００Ｅは、モード決定部２４２Ｅと、第２信号生成部２４５Ｅと、第３信号生成部２４７と、を更に備える。
【０１５２】
モード決定部２４２Ｅは、選択された制御モードに関する情報を、第１信号生成部２４４と、第２信号生成部２４５Ｅと、第３信号生成部２４７と、に出力する。光検出器３９０は、受け取った光の量に応じて、電気信号を生成する。制御モードとして、情報処理制御を決定したモード決定部２４２Ｅは、光検出器３９０からの電気信号の出力先を再生信号生成部２４３に設定する。再生信号生成部２４３は、モード決定部２４２Ｅからの電気信号に応じて、再生信号を生成する。再生信号は、再生信号生成部２４３から外部装置ＥＤ（例えば、パーソナルコンピュータ）に出力される。外部装置ＥＤは、光ディスクＯＤに記録された情報を再生する。この間、第１信号生成部２４４は、トラバース装置３３０を駆動するための第１駆動信号を生成する。第１駆動信号は、第１信号生成部２４４からトラバース装置３３０に出力される。トラバース装置３３０は、第１駆動信号に応じて、トラッキング方向に対物レンズユニット３５０を変位させる。モード決定部２４２Ｅが、制御モードとして、情報処理制御を決定するならば、第２信号生成部２４５Ｅは、アクチュエータ３１５を駆動するための第２駆動信号を生成する。第２駆動信号は、第２信号生成部２４５Ｅからアクチュエータ３１５へ出力される。アクチュエータ３１５は、第２駆動信号に応じて、トラッキング方向及び／又はフォーカス方向に対物レンズ３５１を変位させる。この間、第３信号生成部２４７は、開口片５５０を第２開口領域５３２から退避させるための第３駆動信号を生成する。第３駆動信号は、第３信号生成部２４７から変位機構５６０へ出力される。変位機構５６０は、第３駆動信号に応じて、開口片５５０を変位させ、第２開口領域５３２を開放する。
【０１５３】
制御モードとして、清浄制御を選択したモード決定部２４２Ｅは、再生信号生成部２４３への電気信号の出力を停止する。この間、モード決定部２４２は、第１信号生成部２４４に、対物レンズユニット３５０を外位置（図１２Ｃを参照）に位置決めするための第１駆動信号を生成させる。第１駆動信号は、第１信号生成部２４４からトラバース装置３３０に出力される。トラバース装置３３０は、第１駆動信号に応じて、対物レンズユニット３５０を外位置に位置決めする。
【０１５４】
対物レンズユニット３５０が、トラバース装置３３０によって、外位置に位置決めされた後、モード決定部２４２Ｅは、第３信号生成部２４７に、開口片５５０を第２開口領域５３２内へ変位させるための第３駆動信号を生成させる。変位機構５６０は、第３駆動信号に応じて、開口片５５０を変位させる。この結果、開口片５５０は、第２開口領域５３２を部分的に覆うことになる。
【０１５５】
図２５は、情報処理制御を実行する制御部２００Ｅの動作を表す概略的なフローチャートである。図１２Ｂ、図２１乃至図２５を参照して、制御部２００Ｅの動作が説明される。
【０１５６】
（ステップＳ２１０）
ステップＳ２１０において、制御部２００Ｅは、第２開口領域５３２が開放されているか否かを検証する。第２開口領域５３２内に開口片５５０が存在しているならば、ステップＳ２２０が実行される。他の場合には、ステップＳ２３０が実行される。
【０１５７】
（ステップＳ２２０）
ステップＳ２２０において、制御部２００Ｅは、変位機構５６０を制御し、開口片５５０を第２開口領域５３２から退避させる。この結果、第２開口領域５３２は、開放される。その後、ステップＳ２３０が実行される。
【０１５８】
（ステップＳ２３０）
ステップＳ２３０において、制御部２００Ｅは、情報処理動作を実行する。光ディスクＯＤに情報が記録されるならば、制御部２００Ｅは、記録信号を生成してもよい。光ディスクＯＤから情報が再生されるならば、制御部２００Ｅは、再生信号を生成してもよい。記録信号又は再生信号の生成の間、制御部２００Ｅは、トラバース装置３３０及びアクチュエータ３１５を駆動する。ステップＳ２３０における制御部２００Ｅの動作は、ＢＤやＤＶＤに対して情報処理を行う既知の装置と同様であってもよい。
【０１５９】
図２６は、清浄制御を実行する制御部２００Ｅの動作を表す概略的なフローチャートである。図１２Ｂ、図２１乃至図２４並びに図２６を参照して、制御部２００Ｅの動作が説明される。
【０１６０】
（ステップＳ３１０）
ステップＳ３１０において、制御部２００Ｅは、第２開口領域５３２が開放されているか否かを検証する。第２開口領域５３２内に開口片５５０が存在しているならば、ステップＳ３２０が実行される。他の場合には、ステップＳ３３０が実行される。
【０１６１】
（ステップＳ３２０）
ステップＳ３２０において、制御部２００Ｅは、変位機構５６０を制御し、開口片５５０を第２開口領域５３２から退避させる。この結果、第２開口領域５３２は、開放される。その後、ステップＳ３３０が実行される。
【０１６２】
（ステップＳ３３０）
ステップＳ３３０において、制御部２００Ｅは、トラバース装置３３０を制御し、対物レンズ３５１を外位置に変位させる。その後、ステップＳ３４０が実行される。
【０１６３】
（ステップＳ３４０）
ステップＳ３４０において、制御部２００Ｅは、変位機構５６０を制御し、開口片５５０を第２開口領域５３２内へ変位させる。この結果、開口片５５０は、光ディスクＯＤと対物レンズ３５１との間に挿入されることになる。その後、ステップＳ３５０が実行される。
【０１６４】
（ステップＳ３５０）
ステップＳ３５０において、制御部２００Ｅは、ディスク駆動部４００を制御し、光ディスクＯＤを回転させる。この結果、旋回流が発生する。旋回流は、開口片５５０に形成された開口部５５１から噴出し、対物レンズ３５１に衝突する。この結果、塵埃は、対物レンズ３５１から除去される。
【０１６５】
＜第７実施形態＞
第６実施形態に関連して説明された開口片の変位距離は、光ディスク装置の設計において、長すぎることもある。本実施形態において、開口片の変位距離を短縮するための技術が説明される。
【０１６６】
図２７Ａ及び図２７Ｂは、トレー皿５１０の下で変位する開口片５５０Ｆの概略的な斜視図である。図２７Ａ及び図２７Ｂを参照して、開口片５５０Ｆが説明される。第６実施形態と同一の要素に対して、同一の符号が付されている。同一の符号が付された要素に対して、第６実施形態の説明が援用される。
【０１６７】
開口片５５０Ｆは、第１板５５３と、第２板５５４と、を含む。第１板５５３には、開口部５５１が形成される一方で、第２板５５４には、開口部は形成されていない。尚、開口部の形成位置は、光ディスクの回転方向に応じて決定されてもよい。即ち、第２板が、光ディスクの回転方向において、第１板の上流に位置するならば、開口部は、第２板に形成されてもよい。
【０１６８】
図２７Ａは、情報処理制御下における開口片５５０Ｆの位置を概略的に示す。図２７Ｂは、清浄制御下における開口片５５０Ｆの位置を概略的に示す。清浄制御下において、第１板５５３は、左領域５１７に隣接し、第２開口領域５３２を部分的に覆う。清浄制御下において、第２板５５４は、右領域５１８に隣接し、第２開口領域５３２を少なくとも部分的に覆う。
【０１６９】
第６実施形態とは異なり、第１板５５３及び第２板５５４は、トレー皿５１０の移動方向に対して、略直角の方向に変位する。第１板５５３及び第２板５５４の変位量は、第６実施形態と較べて、小さく設計される。尚、第１板５５３及び第２板５５４を駆動するための構造は、第６実施形態と同様であってもよい。
【０１７０】
＜第８実施形態＞
第６実施形態及び第７実施形態において、開口片は、機械的に駆動される。代替的に、開口片は、手動式にトレー皿に配置されてもよい。本実施形態において、手動式に配置される開口片として、クリーニングシートが説明される。
【０１７１】
図２８は、トレー皿５１０の概略的な断面図である。図２８を参照して、クリーニングシート５５０Ｇが説明される。尚、第１実施形態と同一の要素に対して、同一の符号が付されている。同一の符号が付された要素に対して、第１実施形態の説明が援用される。
【０１７２】
クリーニングシート５５０Ｇは、トレー皿５１０の底壁５１２と、ディスク駆動部４００によって支持された光ディスクＯＤと、の間に配置される。光ディスクＯＤとは異なり、クリーニングシート５５０Ｇは、ディスク駆動部４００には連結されていない。したがって、光ディスクＯＤが回転している間も、クリーニングシート５５０Ｇは、底壁５１２上で静止している。
【０１７３】
クリーニングシート５５０Ｇは、対物レンズ３５１と光ディスクＯＤとの間に介在する。対物レンズ３５１の上方において、クリーニングシート５５０Ｇには、開口部としてスロット５５１Ｇが形成される。したがって、クリーニングシート５５０Ｇは、対物レンズ３５１を用いた光学的な情報処理を妨げない。本実施形態において、クリーニングシート５５０Ｇは、シート部材として例示される。
【０１７４】
図２９は、クリーニングシート５５０Ｇが搭載された光ディスク装置１００Ｇの概略的な斜視図である。図２８及び図２９を参照して、クリーニングシート５５０Ｇが更に説明される。
【０１７５】
図２９に示される如く、使用者は、トレー皿５１０を露出位置に配置し、クリーニングシート５５０Ｇをトレー皿５１０に載置することができる。この結果、クリーニングシート５５０Ｇは、開口領域５３０を部分的に覆う。
【０１７６】
図２９には、トレー皿５１０上に描かれる対物レンズ３５１の移動軌跡を表す軌跡線ＴＲが示されている。図２９に示される如く、スロット５５１Ｇは、軌跡線ＴＲに沿って延びる。したがって、クリーニングシート５５０Ｇは、対物レンズ３５１を用いた光学的な情報処理を妨げない。
【０１７７】
使用者は、クリーニングシート５５０Ｇをトレー皿５１０上に載置した後、光ディスクＯＤをクリーニングシート５５０Ｇ上に配置することができる。その後、使用者は、トレー皿５１０を筐体１１０内に変位させる。
【０１７８】
ディスク駆動部４００が、光ディスクＯＤを回転させると、旋回流が発生する。旋回流は、スロット５５１Ｇを通じて、対物レンズ３５１に衝突し、塵埃を除去することができる。
【０１７９】
上述の様々な実施形態に関連して説明された例示的な光ディスク装置は、以下の特徴を主に備える。
【０１８０】
上述の実施形態の一局面に係る光ディスク装置は、光学的な情報処理を受ける処理面を有する媒体を回転させる駆動機構と、前記駆動機構を収容する筐体と、前記媒体が前記筐体内に収容される収容位置と、前記媒体が前記筐体から露出する露出位置と、の間で前記媒体を変位させるトレー機構と、前記収容位置に配置された前記媒体の前記処理面に集光し、前記情報処理を行う少なくとも１つの対物レンズと、第１位置と、前記第１位置よりも前記駆動機構によって回転される前記媒体の回転中心から離れた第２位置と、の間で、前記少なくとも１つの対物レンズを前記処理面に沿って、変位させる第１変位機構と、を備える。前記トレー機構は、前記第１位置よりも前記第２位置に近い位置において少なくとも１つの開口部を規定する。
【０１８１】
上記構成によれば、駆動機構が、光学的な情報処理を受ける処理面を有する媒体を回転させている間、第１変位機構は、第１位置と第２位置との間で少なくとも１つの対物レンズを変位させる。この結果、光ディスク装置は、光学的な情報処理を行うことができる。
【０１８２】
媒体の回転によって、空気の流れが発生する。第２位置は、第１位置よりも媒体の回転中心から離れているので、空気の流れは、第１位置よりも第２位置において強くなる。トレー機構は、第１位置よりも第２位置に近い位置において少なくとも１つの開口部を規定するので、空気は、少なくとも１つの開口部から強く吹き出されることになる。光ディスク装置は、少なくとも１つの開口部から吹き出された空気を利用して、少なくとも１つの対物レンズを非接触式に清浄することができる。
【０１８３】
上記構成において、前記駆動機構は、前記媒体を回転させ、空気流を前記筐体内で生じさせてもよい。前記第１変位機構は、前記少なくとも１つの対物レンズを、前記少なくとも１つの開口部から吹き出された前記空気流に曝してもよい。
【０１８４】
上記構成によれば、駆動機構が媒体を回転させると、空気流は、筐体内で発生する。第１変位機構は、少なくとも１つの対物レンズを、少なくとも１つの開口部から吹き出された空気流に曝すので、少なくとも１つの対物レンズは、空気流によって適切に清浄される。
【０１８５】
上記構成において、前記トレー機構は、前記媒体が回転する回転空間を規定するトレー皿と、前記少なくとも１つの開口部が形成された開口片と、を含んでもよい。前記トレー皿には、前記収容位置と前記露出位置との間での前記媒体の変位を許容する開口領域が形成されてもよい。前記少なくとも１つの開口部が前記開口領域に重なるように、前記開口片は配置されてもよい。
【０１８６】
上記構成によれば、開口片に形成された少なくとも１つの開口部は、トレー皿の変位を許容する開口領域に重ねられるので、媒体の回転によって生じた空気流は、少なくとも１つの開口部から吹き出される。したがって、光ディスク装置は、少なくとも１つの開口部から吹き出された空気を利用して、少なくとも１つの対物レンズを非接触式に清浄することができる。
【０１８７】
上記構成において、光ディスク装置は、前記情報処理を実行するための情報処理制御と、前記少なくとも１つの対物レンズを清浄するための清浄制御と、を選択的に実行する制御部を更に備えてもよい。前記トレー機構は、前記媒体と前記トレー皿との間で前記開口片を変位させる第２変位機構を含んでもよい。前記制御部が前記情報処理制御を実行している間、前記第１変位機構は、前記制御部の制御下で、前記開口領域内において、前記第１位置と前記第２位置との間で前記少なくとも１つの対物レンズを変位させ、前記情報処理を実行してもよい。前記制御部が前記清浄制御を実行している間、前記第２変位機構は、前記制御部の制御下で、前記開口片を、前記少なくとも１つの対物レンズと前記媒体との間に配置してもよい。
【０１８８】
上記構成によれば、制御部が清浄制御を実行している間、第２変位機構は、制御部の制御下で、開口片を、少なくとも１つの対物レンズと媒体との間に配置するので、少なくとも１つの対物レンズは、開口部から吹き出された強い空気流に曝されることになる。したがって、少なくとも１つの対物レンズは、空気流によって、適切に清浄化される。
【０１８９】
上記構成において、前記開口片は、前記少なくとも１つの対物レンズと前記媒体との間に配置されるシート部材であってもよい。前記シート部材は、前記開口領域を部分的に覆ってもよい。
【０１９０】
上記構成によれば、シート部材は、開口領域を部分的に覆うので、媒体の回転によって生じた空気流の強さは、シート部材に形成された開口部において、少なくとも１つの対物レンズを清浄するのに十分なレベルを保つことができる。したがって、少なくとも１つの対物レンズは、空気流によって、適切に清浄化される。
【０１９１】
上記構成において、光ディスク装置は、前記少なくとも１つの対物レンズに入射する入射光の量を検出する検出部と、トラッキング方向とフォーカス方向とに前記少なくとも１つの対物レンズの位置を調整する調整部と、を更に備えてもよい。前記調整部は、前記制御部の制御下で、前記入射光の前記量に応じて、前記少なくとも１つの対物レンズの前記位置を調整してもよい。
【０１９２】
上記構成によれば、調整部は、制御部の制御下で、入射光の量に応じて、少なくとも１つの対物レンズの位置を調整するので、少なくとも１つの対物レンズは、空気流によって、効果的に清浄される。
【０１９３】
上記構成において、光ディスク装置は、前記少なくとも１つの対物レンズを振動させる振動部を更に備えてもよい。前記制御部が前記清浄制御を実行している間、前記振動部は、前記制御部の制御下で、前記少なくとも１つの対物レンズを振動させてもよい。
【０１９４】
上記構成によれば、制御部が清浄制御を実行している間、振動部は、制御部の制御下で、少なくとも１つの対物レンズを振動させるので、光ディスク装置は、空気流だけでなく、振動をも利用して、少なくとも１つの対物レンズを効果的に清浄することができる。
【０１９５】
上記構成において、前記少なくとも１つの開口部は、前記第１位置と前記第２位置との間で移動する前記少なくとも１つの対物レンズの移動軌跡に対して、前記媒体の回転方向において、上流に位置する上流開口部を含んでもよい。
【０１９６】
上記構成によれば、上流開口部は、第１位置と第２位置との間で移動する少なくとも１つの対物レンズの移動軌跡に対して、媒体の回転方向において、上流に位置するので、少なくとも１つの対物レンズは、空気流によって、効果的に清浄される。
【０１９７】
上記構成において、前記制御部が前記清浄制御を実行している間、前記第１変位機構は、前記制御部の制御下で、前記上流開口部から吹き出された前記空気流に前記少なくとも１つの対物レンズが曝されるように、前記少なくとも１つの対物レンズの位置を定めてもよい。前記制御部が前記清浄制御を実行している間、前記上流開口部と前記回転中心との間の距離は、前記回転中心と前記少なくとも１つの対物レンズとの間の距離よりも短くてもよい。
【０１９８】
上記構成によれば、制御部が清浄制御を実行している間において、上流開口部と回転中心との間の距離は、回転中心と少なくとも１つの対物レンズとの間の距離よりも短いので、少なくとも１つの対物レンズは、空気流によって、効果的に清浄される。
【０１９９】
上記構成において、前記少なくとも１つの対物レンズは、第１対物レンズと、第２対物レンズと、を含んでもよい。前記少なくとも１つの開口部は、第１開口部と、第２開口部と、を含んでもよい。前記第１対物レンズは、前記第１開口部から吹き出された前記空気流に曝されてもよい。前記第２対物レンズは、前記第２開口部から吹き出された前記空気流に曝されてもよい。
【０２００】
上記構成によれば、第１対物レンズは、第１開口部から吹き出された空気流に曝されるので、第１対物レンズは、空気流によって、適切に清浄される。第２対物レンズは、第２開口部から吹き出された空気流に曝されるので、第２対物レンズは、空気流によって、適切に清浄される。
【０２０１】
上記構成において、前記制御部が前記情報処理制御を実行している間、前記第２変位機構は、前記制御部の制御下で、前記開口片を前記少なくとも１つの対物レンズと前記媒体との間の空間から除去してもよい。
【０２０２】
上記構成によれば、制御部が情報処理制御を実行している間、第２変位機構は、制御部の制御下で、開口片を少なくとも１つの対物レンズと媒体との間の空間から除去するので、第１変位機構は、少なくとも１つの対物レンズを第１位置と第２位置との間で適切に変位させることができる。
【０２０３】
上記構成において、前記媒体は、前記媒体の外形輪郭を定める外縁を含んでもよい。前記制御部が、前記清浄制御を実行している間、前記第１変位機構は、前記制御部の制御下で、前記少なくとも１つの対物レンズを、前記回転中心周りに前記外縁と前記回転中心との間の距離の２分の１の長さの半径を有する円形領域の外に配置してもよい。
【０２０４】
上記構成によれば、第１変位機構は、制御部の制御下で、少なくとも１つの対物レンズを、回転中心周りに外縁と回転中心との間の距離の２分の１の長さの半径を有する円形領域の外に配置するので、少なくとも１つの対物レンズは、強い空気流に曝される。したがって、光ディスク装置は、少なくとも１つの対物レンズを適切に清浄することができる。
【０２０５】
上記構成において、前記制御部が、前記清浄制御を実行している間、前記第１変位機構は、前記制御部の制御下で、前記少なくとも１つの対物レンズを前記処理面に対向させてもよい。
【０２０６】
上記構成によれば、制御部が、清浄制御を実行している間、第１変位機構は、制御部の制御下で、少なくとも１つの対物レンズを処理面に対向させるので、少なくとも１つの対物レンズは、強い空気流に曝される。したがって、光ディスク装置は、少なくとも１つの対物レンズを適切に清浄することができる。
【０２０７】
上記構成において、前記少なくとも１つの開口部は、前記第１位置と前記第２位置との間で移動する前記少なくとも１つの対物レンズの移動軌跡に沿って延びるスロットであってもよい。
【０２０８】
上記構成によれば、シート部材には、第１位置と第２位置との間で移動する少なくとも１つの対物レンズの移動軌跡に沿って延びるスロットが形成されるので、シート部材の配置下において、情報処理は適切に実行される。
【０２０９】
上記構成において、前記光学的な情報処理は、前記媒体への情報の記録及び前記媒体からの情報の再生のうち少なくとも一方であってもよい。
【０２１０】
上記構成によれば、光ディスクは、媒体への情報の記録及び媒体からの情報の再生のうち少なくとも一方を適切に実行することができる。
【０２１１】
上述の様々な実施形態に関連して説明された例示的なシート部材は、以下の特徴を主に備える。
【０２１２】
上述の実施形態の他の局面に係るシート部材は、光学的な情報処理を受ける媒体を筐体内に収容する収容位置と、前記媒体を前記筐体から露出させる露出位置との間で変位させるトレー皿に据え付けられる。前記シート部材は、前記収容位置と前記露出位置との間での前記トレー皿の変位を許容するように前記トレー皿に形成された開口領域を部分的に覆う。前記シート部材には、前記媒体の回転によって前記筐体内で生じた空気流が吹き出される開口部が形成される。
【０２１３】
上記構成によれば、シート部材は、開口領域を部分的に覆うので、媒体の回転によって生じた空気流の強さは、シート部材に形成された開口部において、高いレベルに保たれる。したがって、シート部材は、清浄処理に利用可能な空気流を作り出すことができる。
【０２１４】
上述の様々な実施形態に関連して説明された例示的な対物レンズの清浄方法は、以下の特徴を主に備える。
【０２１５】
上述の実施形態の他の局面に係る対物レンズの清浄方法は、開口部が形成された開口片を、光学的な情報処理を受ける処理面を有する媒体と、前記処理面に対向する少なくとも１つの対物レンズと、の間に配置し、前記媒体が載置されるトレー皿の変位を許容するように前記トレー皿に形成された開口領域を部分的に覆う工程と、前記媒体の回転によって空気流を生成し、前記少なくとも１つの対物レンズを、前記開口部から吹き出された前記空気流に曝す工程と、を有する。
【０２１６】
上記構成によれば、開口片は、開口領域を部分的に覆うので、媒体の回転によって生じた空気流の強さは、開口片に形成された開口部において、高いレベルに保たれる。したがって、少なくとも１つの対物レンズは、開口部から吹き出された空気流に曝された空気流によって、適切に清浄される。
【産業上の利用可能性】
【０２１７】
上述の様々な実施形態の原理は、空気流を用いて、対物レンズを非接触式に清浄することを可能にする。したがって、上述の原理は、対物レンズを用いて、光学的な情報処理を実行する様々な装置（例えば、コンピュータ装置、映像記録装置、映像再生装置、カーナビゲーションシステム、携帯音楽プレーヤ、デジタルスチールカメラやデジタルビデオカメラ）に適用することができる。
【図１】
2014073129.tif 000004
【図２】
2014073129.tif 000005
【図３】
2014073129.tif 000006
【図４】
2014073129.tif 000007
【図５】
2014073129.tif 000008
【図６】
2014073129.tif 000009
【図７】
2014073129.tif 000010
【図８】
2014073129.tif 000011
【図９】
2014073129.tif 000012
【図１０】
2014073129.tif 000013
【図１１】
2014073129.tif 000014
【図１２Ａ】
2014073129.tif 000015
【図１２Ｂ】
2014073129.tif 000016
【図１２Ｃ】
2014073129.tif 000017
【図１３Ａ】
2014073129.tif 000018
【図１３Ｂ】
2014073129.tif 000019
【図１４】
2014073129.tif 000020
【図１５】
2014073129.tif 000021
【図１６】
2014073129.tif 000022
【図１７】
2014073129.tif 000023
【図１８】
2014073129.tif 000024
【図１９】
2014073129.tif 000025
【図２０】
2014073129.tif 000026
【図２１】
2014073129.tif 000027
【図２２Ａ】
2014073129.tif 000028
【図２２Ｂ】
2014073129.tif 000029
【図２３Ａ】
2014073129.tif 000030
【図２３Ｂ】
2014073129.tif 000031
【図２４】
2014073129.tif 000032
【図２５】
2014073129.tif 000033
【図２６】
2014073129.tif 000034
【図２７Ａ】
2014073129.tif 000035
【図２７Ｂ】
2014073129.tif 000036
【図２８】
2014073129.tif 000037
【図２９】
2014073129.tif 000038
【図３０】
2014073129.tif 000039
【図３１】
2014073129.tif 000040
【図３２】
2014073129.tif 000041
【図３３】
2014073129.tif 000042
【国際調査報告】
2014073129.tif 000043
2014073129.tif 000044
2014073129.tif 000045
2014073129.tif 000046